(57)【要約】【課題】運動へのモチベーションを高め得ると共に、運動を楽しみながら継続することができ、しかも取扱い操作が良好な活動量計を提供することにある。【解決手段】運動量検出手段２と記憶手段８と表示手段３と情報機器とデータの送受信を行う通信手段５とを有する活動量計１において、表示手段３は運動データを表示する運動データ表示部３２とコンテンツを表示するコンテンツ表示部３１とを備え、且つ活動量計１を傾けて姿勢を変えることで個人データの入力や、コンテンツ表示画面のスクロールを行えるようにした。【選択図】図１
2012179264.tif 000002
【特許請求の範囲】
【請求項１】
入力手段と、運動量検出手段と、前記入力手段が出力する情報出力に基づき前記運動量検出手段が算出する運動データを記憶する記憶手段と、前記運動データを表示する表示手段と、情報機器との間でデータの送受信を行う通信手段とを有する活動量計において、前記記憶手段は、前記運動データを記憶する運動データ記憶部と、前記情報機器から送信されるコンテンツを記憶するコンテンツ記憶部とを備えると共に、前記表示手段は、前記運動データを表示する運動データ表示部と、前記コンテンツを表示するコンテンツ表示部とを備え、前記コンテンツ記憶部に記憶された前記コンテンツが商業情報であるかまたはコンピュータプログラムであるかを判別するコンテンツ判別手段を備えた活動量計であって、前記運動量検出手段は、体動センサと、データ識別手段とを備え、前記データ識別手段は、前記体動センサのセンサ出力と前記入力手段の情報出力とを入力して、前記センサ出力を体動信号とセンサ振動信号とに分別して出力するデータ切替部と、前記データ切替部が出力する前記センサ振動信号を入力して個人データを出力する個人データ出力部と、を備えたことを特徴とする活動量計。
【発明の詳細な説明】
【技術分野】
【０００１】
本発明は活動量計に係わり、歩行等運動へのモチベーションを高めることができると共に、運動を楽しみながら継続することができ、しかも取扱い操作が至極良好な活動量計に関するものである。
【背景技術】
【０００２】
運動は、健康増進と疾病の回復に効果があるので、多くの人が日常生活の中に取り入れている。しかし、運動の効果を上げるためには、毎日継続しなくてはならない。運動を継続させるため、運動へのモチベーションを高める技術がこれまでにいくつか開示されている。
【０００３】
一例を挙げると、最も身近な運動である歩行を楽しくするために、歩数計で測定された歩数から歩行距離を算出し、これを累積して延べの歩行距離を表示する技術が下記の特許文献１に開示されている。
【０００４】
特許文献１に示された従来技術は、日々の歩数から歩行距離を算出して、歩数計に例えば東海道の地図情報を記憶しておき、歩行によって現在どの地点に至ったかを表示してモチベーションを高め、歩行運動への励みとするものである。
【０００５】
さらに健康改善の努力を行なわせる強い動機付けを与え、健康的な生活習慣の継続を促すとともに、慈善活動を効率的且つ効果的に行うことができる健康増進支援システムの技術が下記の特許文献２に開示されている。
【０００６】
特許文献２に開示された従来技術は、運動に応じて健康増進ポイントが溜まり、ウオーキングチャリティなどでイベント協賛企業や団体等から寄付金を集め、健康ポイントに応じて団体に寄付するもので、参加者は自らの運動に応じた社会貢献が可能になり、運動への励みとなる。
【０００７】
また、別の先行技術として、活動量計に各種コンテンツを表示させ、使用者の歩行への興味を惹く技術が本件出願人の出願に係わる特願２０１０−２３６０４１号に開示されている。
【０００８】
図９によって特願２０１０−２３６０４１号に示されている技術の概略を説明する。図９は活動量計の表示例を示すもので、活動量計１の表示器３０には歩行データを表示する運動データ表示部３２と、活動量計に内蔵されている通信機能によって商店の広告などの商業情報等を表示するコンテンツ表示部３１とを有し、使用者の歩行へのモチベーションを高めることができるようになっている。
【先行技術文献】
【特許文献】
【０００９】
【特許文献１】特開２００１−２９６１３９号公報
【特許文献２】特開２００４−３１８５３４号公報
【発明の概要】
【発明が解決しようとする課題】
【００１０】
特許文献１の開示技術においては、毎日の歩行運動の結果は実際の地名を使って表示され使用者の興味をそそるので、当初は歩行運動の結果を面白く把握することができるが、内容は歩数計に内蔵されているプログラムの繰り返しなので、使用者は途中で興味を失ってしまうことが多い。
【００１１】
特許文献２の開示技術では、ユーザは自らの運動が社会貢献に役立つと認識できて運動への動機付けをする効果はあるが、社会貢献をしているとの認識は、ユーザ端末装置１００の表示画面を通じてもたらされ、運動を行っている最中にタイムリーに動機付けされるのではないので、ユーザの運動へのモチベーションを高め、運動を楽しくさせるとは言い難い。
【００１２】
また、特願２０１０−２３６０４１号に示された技術では、液晶表示画面に示される商業コンテンツ等は多量の情報を記載した広告であるとコンテンツの全範囲を限られたスペースで見るためには、スイッチでスクロール操作をしなくてはならず、大変不便である。
【００１３】
また、個人データの設定や、複雑なプログラムを新たにダウンロードした場合、操作のため更にスイッチが必要になるなど、コンテンツの多様化に対応出来ない、という問題点がある。
【課題を解決するための手段】
【００１４】
本発明の目的は、上記従来技術に伴う問題点を解決し、運動へのモチベーションを高め得ると共に、運動を楽しみながら継続することができ、しかも取扱い操作が良好な活動量計を提供することにある。
【００１５】
上記課題を解決するための本発明に係わる活動量計の構成を詳述すれば、入力手段と運動量検出手段と、前記入力手段が出力する情報出力に基づき運動量検出手段が算出する運動データを記憶する記憶手段と、前記運動データを表示する表示手段と、情報機器との間でデータの送受信を行う通信手段とを有する活動量計において、前記記憶手段は、前記運動データを記憶する運動データ記憶部と、前記情報機器から送信されるコンテンツを記憶するコンテンツ記憶部とを備えると共に、前記表示手段は、前記運動データを表示する運動データ表示部と、前記コンテンツを表示するコンテンツ表示部とを備え、前記コンテンツ記憶部に記憶された前記コンテンツが商業情報であるかまたはコンピュータプログラムであるかを判別するコンテンツ判別手段を備えた活動量計であって、前記運動量検出手段は、体動センサと、データ識別手段とを備え、前記データ識別手段は、前記体動センサのセンサ出力と前記入力手段の情報出力とを入力して、前記センサ出力を体動信号とセンサ振動信号とに分別して出力するデータ切替部と、前記データ切替部が出力する前記センサ振動信号を入力して個人データを出力する個人データ出力部とを備えたことを特徴とする活動量計である。
【発明の効果】
【００１６】
本発明に係わる活動量計によれば、使用者は、歩行などの運動中に運動データに加えて広告やニュースなどの興味を引くコンテンツを得ることができると共に、個人データの設定など複雑な操作が、活動量計を傾けることによって容易に行うことが出来、かつまたコンテンツを表示しているときに、活動量計を傾ければ表示画面がスクロールされるので使用者はコンテンツが多量であっても大量の情報も得ることが出来るので活動量計としての使い勝手が著しく向上する。
【図面の簡単な説明】
【００１７】
【図１】本発明に係わる活動量計の構成を示すブロック図である。
【図２】本発明に係わる活動量計と情報機器との通信システムを示す外観図である。
【図３】本発明に係わる活動量計の回路構成図である。
【図４】本発明に係わる活動量計における個人データの数値の設定方法を示す説明図である。
【図５】本発明に係わる活動量計における個人データの項目の設定方法を示す説明図である。
【図６】本発明に係わる活動量計における個人データの数値の設定方法を示す説明図である。
【図７】本発明に係わる活動量計における個人データの項目の設定方法を示す説明図である。
【図８】本発明に係わる活動量計の第２の実施形態の機能を説明する外観図である。
【図９】従来の歩数計の表示例を示す外観図である。
【発明を実施するための形態】
【００１８】
本発明の活動量計は、活動量計を傾けることによって簡単に個人データの設定が行え、また活動量計の傾け方を変化させると表示されるコンテンツがスクロールされ表示を見やすくすることが出来る。すなわちスイッチを使わず複雑な動作をコントロール出来るので使い勝手が良い活動量計を提供することが出来る。
【実施例１】
【００１９】
以下、図１から図５を用いて本発明に係わる活動量計の実施例を説明する。なお、従来例と同一の要素には同一の符号を用いてある。
【００２０】
〔ブロック図構成説明〕
図１を用いて活動量計１の構成を説明する。
図１は本発明による活動量計の構成を示すブロック図である。
【００２１】
図１において、活動量計１は運動量検出手段２と、表示手段３と、入力手段４と、通信手段５と、電池６と、記憶手段８及びコンテンツ判別手段１０とから構成される。
【００２２】
さらに運動量検出手段２は、体動センサ２１と、運動データ算出部２２と、データ識別手段２３とから構成され、データ識別手段２３はデータ切替部２３１と、個人データ出力部２３２とから構成される。
【００２３】
図１において、表示手段３はコンテンツ表示部３１と、運動データ表示部３２とから構成され、記憶手段８はコンテンツ記憶部８１と、運動データ記憶部８２とから構成される。
また、説明のため後述する情報機器のリーダライタ９１と通信用媒体である交流磁界Ｗとを破線で示してある。
【００２４】
運動量検出手段２の体動センサ２１はＸＹＺ方向の３次元加速度センサであり、活動量計１に生じる加速度を検出してセンサ出力Ｓｏを出力する。なお、センサ出力Ｓｏは、使用者の体の動きを示す体動信号Ｔｓである場合と、活動量計１の動きを示すセンサ振動信号Ｃｓである場合とがある。
【００２５】
運動データ算出部２２は、体動信号Ｔｓと個人データＫｄと後述するコンテンツ判別手段１０からのコンピュータプログラムＣｍｐとを入力して運動データＨｄを出力し、記憶手段８の運動データ記憶部８２に入力する。なお、運動データＨｄとは歩数、運動量、消費カロリを基本とするが、コンピュータプログラムＣｍｐによって、歩行距離、運動時間、運動強度などの別の項目を算出すること
が出来る。
【００２６】
データ識別手段２３のデータ切替部２３１はセンサ出力Ｓｏと情報出力Ｍｓとを入力して体動信号Ｔｓとセンサ振動信号Ｃｓとを出力する。より詳細には、データ切替部２３１は、情報出力Ｍｓが入力された場合は、センサ出力Ｓｏをセンサ振動信号Ｃｓとして出力し、個人データ出力部２３２に入力する。
【００２７】
この状態はセンサ出力Ｓｏが所定の頻度で入力されている限り継続し、センサ出力Ｓｏの入力が所定の頻度を下回ると、データ切替部２３１はセンサ出力Ｓｏを体動信号Ｔｓとして出力する。この状態は再び入力手段４によって情報出力Ｍｓが入力されるまで継続する。
【００２８】
以上述べたように、データ切替部２３１は情報出力Ｍｓによってセンサ出力Ｓｏを運動データ算出部２２か、個人データ出力部２３２か、何れかに切り替える機能を有しているのである。
【００２９】
運動量検出手段２の個人データ出力部２３２は、センサ振動信号Ｃｓを入力して、個人データＫｄを出力する。なお個人データＫｄとは、１日に消費する消費カロリの目標値と年令と性別と身長と体重と歩幅等であり、個人データ出力部２３２に備えられた個人データＫｄの年齢・体重・身長・性別・目標値などの各項目の数値表を、センサ振動信号Ｃｓによって参照・選択して個人データＫｄを出力する。
【００３０】
以上述べた様に、センサ振動信号Ｃｓはセンサ出力Ｓｏと同一であって、体動センサ２１のＸＹＺ方向の３次元の加速度信号なので、実施例ではＹ次元のプラス方向の加速度変化で数値表の数字を増加し、Ｙ次元のマイナス方向の加速度変化で数値表の数字を減少し、Ｚ次元のプラスマイナスいずれの加速度変化で、個人データの年齢・体重・身長・性別、目標値などの各項目の数値表の選択を行い、個人データＫｄの出力を可能としている。
【００３１】
運動データ算出部２２は、体動信号Ｔｓと、個人データＫｄと、後述するコンテンツ判別手段１０からのコンピュータプログラムＣｍｐとを入力して運動データＨｄを出力し、記憶手段８の運動データ記憶部８２に入力する。
なお、運動データＨｄとは歩数、運動量、消費カロリを基本とするが、コンピュータプログラムＣｍｐによって、歩行距離、運動時間、運動強度などの別の項目を算出することが出来る。
【００３２】
記憶手段８は、運動データ算出部２２が出力する運動データＨｄを運動データ記憶部８２に記憶し、運動データ記憶部８２は記憶した運動データＨｄｍを出力して表示手段３の運動データ表示部３２と、後述する通信手段５とに入力する。
【００３３】
また、記憶手段８は、通信手段５が出力するコンテンツＣｔをコンテンツ記憶部８１に記憶し、コンテンツ記憶部８１は記憶したコンテンツＣｍを出力してコンテンツ判別手段１０に入力する。
【００３４】
コンテンツ判別手段１０は、コンテンツＣｍを入力して、コンテンツＣｍのファイル構成や拡張子から商業情報Ｃｍａを判別して出力し、表示手段３のコンテンツ表示部３１に入力する。またコンテンツ判別手段１０は、コンテンツＣｍからコンピュータプログラムＣｍｐを同様の方法で判別して出力し、運動量検出手段２の運動データ算出部２２に入力する。
【００３５】
すなわち、コンテンツ判別手段１０は、コンテンツＣｍを商業情報ＣｍａとコンピュータプログラムＣｍｐに判別し、各々を表示手段３のコンテンツ表示部３１および運動量検出手段２の運動データ算出部２２に分けて入力する。
【００３６】
表示手段３はコンテンツ表示部３１と、運動データ表示部３２とから構成され、コンテンツ表示部３１はコンテンツ判別手段１０からコンテンツＣｍａを入力し表示する。また、運動データ表示部３２は記憶手段８の運動データ記憶部８２から運動データＨｄｍを入力し表示する。
【００３７】
通信手段５は、約１３メガヘルツの交流磁界Ｗを通信用媒体として、パソコンや携帯電話などの情報機器とリーダライタ９１を通じて非接触でデータの送受信を行うものである。より詳細には、通信手段５は記憶手段８の運動データ記憶部８２に記憶された運動データＨｄｍを、リーダライタ９１を通じてパソコンや携帯電話などの情報機器に送信し、またリーダライタ９１を通じて情報機器からコンテンツＣｔを受信し、記憶手段８のコンテンツ記憶部８１に入力する。
【００３８】
〔動作説明〕
図１及び図２と、図４〜図７を用いて活動量計１の動作を説明する。
図２は、活動量計１と情報機器９およびリーダライタ９１とから構成される通信システムの構成を示す外観図である。
また、図４〜図７は、個人データＫｄの項目や数値を設定する方法を説明する外観図である。
【００３９】
図４において、使用者は、始めに活動量計１の入力手段４を押して、年齢と性別と身長と体重と目標値等からなる個人データＫｄを設定する。
【００４０】
より詳細に説明すれば、図１において、使用者が入力手段４を押すと（誤動作防止のため、押す時間は２秒間以上としている）、入力手段４は情報出力Ｍｓを出力する。
【００４１】
データ切替部２３１は入力手段４から情報出力Ｍｓを受けると、活動量計１は個人データＫｄの入力動作を開始する。
【００４２】
図４に示す様に、活動量計１の表示手段３には個人データＫｄの各項目が順に表示される。始めに表示される項目は、図４（ａ）に示す様に１日の目標消費カロリであり、初期値として例えば”モクヒョウ  ２１００．０Ｋｃａｌ／ｄａｙ”と表示される。
【００４３】
使用者が活動量計１を傾けて、センサ出力Ｓｏによってプラス方向の加速度変化が検出されると、個人データの各項目の数値表の数字を増加し、Ｙ次元のマイナス方向の加速度変化で数値表の数字を減少する。
【００４４】
例として、１日の目標消費カロリとして、”モクヒョウ  ２０００．０Ｋｃａｌ／ｄａｙ”を設定する場合には、活動量計１を図４（ｂ）に示す様に”Ｙｐ”方向に傾けると、表示されている数値が、”モクヒョウ  ２１００．１Ｋｃａｌ／ｄａｙ”と増加する。反対に、表示されている数値を減少する場合は、図４（ｃ）に示す様に”Ｙｎ”方向に傾けると、”モクヒョウ  ２０９９．９Ｋｃａｌ／ｄａｙ”の様に増加する。
【００４５】
次に、個人データＫｄの項目を変更する。すなわち、図５（ａ）に示す様に”Ｚｐ”方向に振ると、図５（ｂ）に示す様に項目が変わって”タイジュウ  ６０．０ｋｇ”と表示される。
【００４６】
図６（ａ）に示す様に”タイジュウ  ６０．０ｋｇ”と表示されている状態から、図６（ｂ）に示す様に”Ｙｐ”方向に傾けると、表示されている数値が、”タイジュウ  ６０．１ｋｇ”と増加し、図６（ｃ）に示す様に”Ｙｎ”方向に傾けると、表示されている数値が、”タイジュウ  ５９．９ｋｇ”の様に減少する。
【００４７】
次に、図７（ａ）に示す様に、活動量計１を”Ｚｐ”方向に振ると、図７（ｂ）に示す様に”シンチョウ  １６５ｃｍ”と表示されるので”Ｙｐ”あるいは”Ｙｎ”方向に傾け、身長を設定する。
【００４８】
以下、同様の方法で個人データＫｄの全項目を設定し、その後、使用者は活動量計１を用いて運動を始める。
【００４９】
図示していないが、使用者は活動量計１を例えば腰に装着し、歩行などの運動を開始する。使用者が運動を始めると、図１に示す様に、体動センサ２１は体動信号Ｔｓを出力し、運動データ算出部２２は体動信号Ｔｓと個人データＫｄとコンピュータプログラムＣｍｐとを入力し、歩数、運動量、消費カロリからなる運動データＨｄを出力する。
【００５０】
記憶手段８の運動データ記憶部８２は、運動データ算出部２２からの運動データＨｄを逐一入力し逐一記憶する。
【００５１】
運動を終了すると、図２に示す様に使用者は活動量計１を情報機器９のリーダライタ９１にかざすか、あるいはリーダライタ９１に近づける。すると図１において、記憶手段８の運動データ記憶部８２が出力する運動データＨｄｍは、通信手段５によってリーダライタ９１を経由し、情報機器９に送信される。
【００５２】
図２において、活動量計１からリーダライタ９１を通じて情報機器９へ運動データＨｄｍの送信が完了すると、情報機器９はコンテンツＣｔを活動量計１に送る。
【００５３】
図１において、活動量計１の通信手段５は、受信したコンテンツＣｔを出力し記憶手段８のコンテンツ記憶部８１に入力する。記憶手段８のコンテンツ記憶部８１はコンテンツＣｔを記憶し、記憶したコンテンツＣｍをコンテンツ判別手段１０に入力する。
【００５４】
コンテンツ判別手段１０は、コンテンツＣｍのファイル構成や拡張子からコンテンツＣｍが商業情報Ｃｍａであるか、またはコンピュータプログラムＣｍｐであるかを判別し、表示手段３のコンテンツ表示部３１または運動量検出手段２の運動データ算出部２２に入力する。以下に詳述する。
【００５５】
記憶手段８のコンテンツ記憶部８１が出力するコンテンツＣｍは、ニュースや商店の広告、企業の情報などの商業情報Ｃｍａである場合と、後述するマイクロプロセッサに使用されるコンピュータプログラムＣｍｐである場合と、またこれら両者を含む場合とがある。
【００５６】
初めにコンテンツＣｔが商業情報Ｃｍａである場合の動作を説明する。
コンテンツ判別手段１０は、コンテンツＣｍが商業情報Ｃｍａであると表示手段３のコンテンツ表示部３１に商業情報Ｃｍａを入力する。
【００５７】
表示手段３のコンテンツ表示部３１は、コンテンツ判別手段１０が出力する広告・求人広告・ニュース・天気予報などの商業情報Ｃｍａを入力し表示する。
【００５８】
次にコンテンツＣｔがコンピュータプログラムＣｍｐである場合の動作を説明する。コンテンツ判別手段１０は、コンテンツＣｍがコンピュータプログラムＣｍｐであると運動量検出手段２の運動データ算出部２２にコンピュータプログラムＣｍｐを入力する。
【００５９】
運動量検出手段２の運動データ算出部２２は、図示していないがメモリを備えており、このメモリに運動データを算出するための処理プログラムを記憶している。
【００６０】
運動データ算出部２２にコンピュータプログラムＣｍｐが入力されると、運動データ算出部２２のメモリに記憶された処理プログラムは、コンピュータプログラムＣｍｐに置き換えられ、運動データ算出部２２はコンピュータプログラムＣｍｐに基づく新しい運動データＨｄを出力し、記憶手段８の運動データ記憶部８２に入力する。
【００６１】
コンピュータプログラムＣｍｐは、運動データＨｄの算出項目を新しくする以外に、例えば筋肉トレーニング運動など異なる運動のデータ算出など、運動データ算出部２２の基本動作を一新することも可能である。
【００６２】
表示手段３の運動データ表示部３２は、記憶手段８の運動データ記憶部８２が出力する歩数、運動量、消費カロリなどの運動データＨｄｍを入力し表示する。
【００６３】
〔回路ブロック説明〕
図３を用い、図１を併用して本発明に係わる活動量計１の回路構成を説明する。
図３において、活動量計１は体動センサ２１と、マイクロプロセッサ７と、入力手段４と、記憶手段８としてのコンテンツ記憶部８１および運動データ記憶部８２と、表示手段３としてのコンテンツ表示部３１および運動データ表示部３２と、通信手段５と電池６とから構成される。
【００６４】
体動センサ２１は圧電素子や接点式振動センサ、あるいはＭＥＭＳ（Ｍｉｃｒｏ  Ｅｌｅｃｔｒｏ  Ｍｅｃｈａｎｉｃａｌ  Ｓｙｓｔｅｍｓ）型加速度センサなどで構成し、体動信号Ｔｓおよびセンサ振動信号Ｃｓを検出してマイクロプロセッサ７に入力する。
【００６５】
マイクロプロセッサ７は、活動量計１の全体の動作を制御すると共に、体動信号Ｔｓと個人データＫｄとから運動データＨｄを出力する。
【００６６】
なお、マイクロプロセッサ７は、図１に示す運動量検出手段２の運動データ算出部２２とデータ識別手段２３の機能およびコンテンツ判別手段１０の機能を、ソフトウエアモジュールの形態で有している。
【００６７】
記憶手段８は、ＥＥＰＲＯＭやフラッシュメモリの様な不揮発性記憶素子により構成され、コンテンツ記憶部８１および運動データ記憶部８２および図示していないが運動量検出手段２の運動データ算出部２２のメモリなどを備えている。
【００６８】
通信手段５は、約１３メガヘルツの交流磁界Ｗを媒体にして運動データＨｄｍを、リーダライタ９１を通じて情報機器９に送信し、また情報機器９からコンテンツＣｔを受信する。
【００６９】
また、通信手段５は、実施例の非接触近距離通信方式以外に、例えば情報機器の端末機器として知られているブルートゥース送受信器や、微弱電力型無線通信装置などを用いることも可能である。
【００７０】
表示手段３のコンテンツ表示部３１および運動データ表示部３２は、例えばＬＣＤなどを用いることができる。なお、実施例ではコンテンツ表示部３１と運動データ表示部３２はドットマトリックス型ＬＣＤとし、一体化して構成している。
【００７１】
電源は活動量計１を駆動するための薄型のボタン電池である。
【実施例２】
【００７２】
図８を用いて本発明に係わる活動量計１の第２の実施形態を説明する。
図８は本発明による活動量計の第２の実施形態の表示例を説明する外観図である。なお、活動量計１の全体の構成、およびブロック図は第１の実施形態と同様なので説明は省略する。
【００７３】
本発明の第２の実施形態における活動量計５０は活動量計５０の姿勢を上下反転させても、表示器３０の表示状態は反転しない、という機能を備えたものである。
【００７４】
図８（ａ）に示す様に、活動量計５０を”Ｒ”の様に回転させて上下反転させても、表示手段３の表示は上下反転せず、使用者は反転する前の視点で表示状態を確認できる。
【００７５】
使用者にとって、活動量計５０は多くの場合カバンやポケットの中などに収納された状態で使用され、使用者が表示を確認するためにカバンなどから取り出した状態では、表示手段３が使用者に見やすい方向になっているとは限らず、使用者は、都度活動量計５０を持ち替えて表示を確認する、という手間が必要になる場合があるが、本発明によればこのような手間を省くことが出来る。例えばランニング中など素早く表示内容を確認したい場合に便利であり、活動量計５０の使い勝手を更に向上させるものである。
【００７６】
以上述べた様に本発明によれば、個人データの設定や、活動量計に表示された商業コンテンツが多量の情報を記載した広告等であるとスイッチでスクロールが必要であるなど、操作が不便であった。本発明によればこうした課題が克服され、使い勝手の良い活動量計が提供される。
【符号の説明】
【００７７】
１，５０：  活動量計
２：  運動量検出手段
２１：  体動センサ
２２：  運動データ算出部
２３：  データ識別手段
２３１：  データ切替部
２３２：  個人データ出力部
３：  表示手段
３０：  表示器
３１：  コンテンツ表示部
３２：  運動データ表示部
４：  入力手段
５：  通信手段
６：  電池
７：  マイクロプロセッサ
８：  記憶手段
８１：  コンテンツ記憶部
８２：  運動データ記憶部
９：  情報機器
９１：  リーダライタ
１０：  コンテンツ判別手段
Ｓｏ：  センサ出力
Ｔｓ：  体動信号
Ｃｓ：  センサ振動信号
Ｃｄ：  コマンドデータ
Ｋｄ：  個人データ
Ｈｄ，Ｈｄｍ：  運動データ
Ｃｔ，Ｃｍ：  コンテンツ
Ｃｍａ：  商業情報
Ｃｍｐ：  コンピュータプログラム
Ｗ：  交流磁界
Ｍｓ：  情報出力
【図１】
2012179264.tif 000003
【図２】
2012179264.tif 000004
【図３】
2012179264.tif 000005
【図４】
2012179264.tif 000006
【図５】
2012179264.tif 000007
【図６】
2012179264.tif 000008
【図７】
2012179264.tif 000009
【図８】
2012179264.tif 000010
【図９】
2012179264.tif 000011